(57)【要約】      （修正有）【課題】システムキッチンのシンク周辺の調理スペーストップに、シンクで洗った物を置いて水切りし、シンクで洗った物から出た水は、排水用溝でシンクに流せる洗い物置きスペースを設け、調理スペースにも使えるようにする。【解決手段】システムキッチンのシンク５周辺の調理スペースに開閉式の蓋１をビルト・インする。蓋１閉時は周辺の調理スペースと面一になる調理スペースとして、表面の上で様々な調理作業を行い、蓋１開時には、シンク５で洗った物の、洗い物水切り、洗い物置きスペース２として使用する。洗い物から出た水は排水用ｕ字溝４でシンク５へと流し、表面には波状の緩やかな凹凸３を施して洗い物が水で滑るのを防ぐ。また蓋１が立つので、洗い物を置く際、支えにもなり安定性を増す。蓋１の開閉により使い分けることが出来るため限られたシステムキッチン内のスペースをより有効に使うことが出来る。【選択図】図１
2012030019.tif 000002
【特許請求の範囲】
【請求項１】
システムキッチンのシンク周辺の調理スペーストップに蓋をビルト・インし、蓋閉時は、蓋トップ表面が周辺の調理スペースと面一となって調理スペースとして使用出来、蓋開時は、蓋がビルト・インされていたスペースにシンクで洗った物を置き、水切りが出来、洗い物から出た水は排水用のｕ字溝でシンクへ流す、洗った物置きスペース表面に波状のゆるやかなの凹凸を施し、洗い物の水切りがよく洗い物が水で滑らないようにした、調理スペース兼用洗い物水切り、物置きスペース用開閉式蓋がついた洗い物置きスペース
【発明の詳細な説明】
【技術分野】
【０００１】    本考案は、システムキッチンのシンク周辺の調理スペーストップに開閉式の蓋をビルト・インし、蓋閉時は蓋トップ表面が周辺の調理スペースと面一になり、調理スペースとして蓋トップ表面上にて様々な調理作業を行えるものとし、また蓋開時には、蓋をビルト・インしていた分のスペースを、シンクで洗った物の水を切り、洗った物を置くスペースとして提供するものとする。また洗った物などから出た水は、排水用のｕ字溝でシンクに流す。洗い物置きスペース表面には、波状の緩やかな凹凸を施すことで、洗い物の水切りをよくし、洗い物が水で滑らないようにする。この調理スペース兼用洗い物水切り、物置き用開閉式蓋によって、狭いシステムキッチンのスペースを必要時に、調理スペースとしての様態と蓋を開けた時に洗い物水切り、洗い物置きスペースとしての様態に変えることで、狭いシステムキッチン内のスペースを効果的に活用を可能とさせることに関するものである。
【背景技術】
【０００２】    システムキッチンのシンク周辺の調理スペースに、開閉式の蓋をビルト・インする。蓋閉時には、蓋トップ表面が周辺の調理スペーストップと面一となって蓋表面トップ上にて、様々な調理作業を行えるものとする。蓋開時には、蓋を開けた分のスペースを利用し、そこにシステムキッチンのシンクで洗った物の水を切り、洗った物を置けるようなスペースを提供することである。洗い物置きスペースの表面には波状の緩やかな凹凸を施し、洗い物の水切りをよくし、洗い物が水で滑るのを防ぐ。洗い物から出た水は排水用のｕ字溝でシンクに流す。
本考案における新たな利点は、調理スペースにビルト・インした蓋を開閉することで、必要時に調理スペースの提供と、また必要時にシンクで洗った物の水を切り、洗った物を置くスペースを提供し、システムキッチンの調理スペースに必要時に合わせた２つの様態を持ち合わせさせることで、システムキッチン内の限られた狭いスペースを効果的に活用させるものとする。
【発明の開示】
【発明が解決しようとす課題】
【０００３】  従来のシステムキッチンの調理スペースは限られた狭いスペースでしかない。シンクで洗ったものを面一な調理スペースに置いたり、重ねたりすることは非常に安定性に欠け、特に洗い物が多くなれば、積み上げていくことで安定性を失い、積み重ねられたものが崩れて陶器やガラス製が多い食事用の皿や器などは壊れたり破損してしまう可能性が高い。また洗い物の水もたまると、滑りやすくなるのと同時に不衛生でもある。こうした問題を解決するため、高さのある洗い物水切りトレイセットなどを調理スペースにおいて、洗い物の水を切り、また洗い物を置いておくという解決法がとられたりもするが、この洗い物水切りトレイセットなどを恒常的に置いてしまうと、限られた狭いシステムキッチン内のスペースがさらに限られることとなり、実際調理作業を行うスペースの確保が困難なことになってしまう問題があった。
【課題を解決するための手段】
【０００４】  本考案は、システムキッチンの調理スペーストップに開閉式の開閉式の蓋をビルト・インする。蓋開時には、蓋がビルト・インされていた分の蓋を収納出来る分のスペースの、調理スペーストップから下に行く深さを利用し、システムキッチンのシンクで洗った物を置くときの支えになることが出来る。また蓋自体もあることから洗った物を置くときの支えになることもできる。洗った物から出た水は、排水用のｕ字型溝からシンクへと流すことができるので、水がたまることなく、たまった水で洗った物が滑りやすくもならず、またたまった水をそのまま放置することはないので、衛生敵な状態を洗い物置きスペースに保ちことが出来る。洗い物置きスペース表面には波状の緩やかな凹凸を施して、洗い物の水切りをよくし、洗い物が水で滑るのを防ぐ。また、蓋閉時には、蓋表面が周辺の調理スペーストップと面一になることで、調理作業が行える調理スペースをさらに広く得ることが出来る。
システムキッチンの調理スペーストップに開閉式の蓋をビルト・インすることで、蓋開時にはシステムキッチンのシンクで洗った物の水を切り、洗った物を置くスペースという様態と、蓋閉時には周辺調理スペーストップと面一となり、さらに広い調理スペースという様態を、蓋開閉によって必要時に、必要な様態を自在に利用でき、システムキッチンの限られた狭いスペースを効果的に活用することが可能となる。
【発明の効果】
【０００５】    システムキッチンの調理スペーストップに開閉式の蓋をビルト・インすることで、蓋開時にはシステムキッチンのシンクで洗った物の水を切り、洗った物を置くスペースとなる。洗い物から出た水は排水用のｕ字型溝からシンクに流すことが出来、衛生的である。洗い物置きスペース表面には、波所の緩やかな凹凸を施し、洗い物の水切りをよくし、洗い物が水で滑るのを防ぐ。蓋閉時には、周辺の調理スペーストップと面一になり、さらに広い調理スペースを提供することが出来る。洗い物水切り、洗い物置きスペースとしての様態、調理スペースとしての様態を蓋開閉によって、必要時に自在に利用することが出来る。
【発明の実施するための最良の形態】
【０００６】  以下、本発明の実施の形態を図に基づいて説明する。
【図面の簡単な説明】
【０００７】
【図１】システムキッチンにビルト・インした調理スペース兼洗い物水切り、洗い物置きスペース用開閉式蓋が着いた洗い物置きスペース全体図
【図２】システムキッチンにビルト・インした調理スペース兼洗い物水切り、洗い物置きスペース用開閉式蓋が着いた洗い物置きスペース断面図
【符号の説明】
【０００８】［図１］１  調理スペース兼洗い物水切り、洗い物スペース用開閉式蓋
２  洗い物水切り、洗い物置きスペース
３  洗い物水切り、洗い物置きスペース表面の波状の緩やかな凹凸
４  排水用ｕ字溝
５  システムキッチンのシンク
［図２］１  調理スペース兼洗い物水切り、洗い物スペース用開閉式蓋
２  洗い物水切り、洗い物置きスペース
３  排水用ｕ字溝
【図１】
2012030019.tif 000003
【図２】
2012030019.tif 000004